【事件の表示】
　平成　５年特許願第　５５２６２号「トランスファフィーダ」拒絶査定に対する審判事件［平成　６年　９月２０日出願公開、特開平　６−２６２２８０］について、次のとおり審決する。
【結　論】
　本件審判の請求は、成り立たない。
【理　由】
理由
第１　手続の経緯・本件発明
　本件出願は、平成５年３月１６日に特許出願がされたものであって、その請求項１に係る発明（以下「本件発明」という。）は、平成１５年１２月５日付手続補正書により補正がされた明細書及び図面の記載からみて、その特許請求の範囲の請求項１に記載された次のとおりのものであると認める。
「プレス本体１内に一対のリフトビーム９をワーク搬送方向Ａに並設し、
　前記プレス本体１の上部に複数のリフト機構１０を取付け、この各リフト機構１０で前記一対のリフトビーム９の複数箇所を上方より吊り下げ、かつ前記各リフト機構１０毎に駆動源としてそれぞれ設けたサーボモータ１１により前記一対のリフトビーム９を上下方向へ駆動し、
　前記一対のリフトビーム９に、クロスバー１６が横架された複数のクロスバーキャリヤ１５をワーク搬送方向Ａに移動自在に設け、かつこれらクロスバーキャリヤ１５を、プレス本体１より取出された動力により回転されるフィードカム２２を駆動源とするフィード機構２０によりフィード方向へ駆動してなるトランスファフィーダ。」
　
第２　引用例記載事項
１　当審における拒絶の理由に引用した本件出願前に日本国内において頒布された刊行物である実願平２−２２４８４号（実開平３−１１６２２８号）のマイクロフィルム（以下「引用例１」という。）には、次の事項が記載されていると認める。
(1) 明細書第５頁末行−第６頁第７行
「第１図および第２図に示されるトランスファプレスは、ベッド１０を備え、このベッド１０の左右（第２図では上下）両側に複数のアプライト１２が立設されており、このアプライト１２の上端にクラウン１４が固定されている。このクラウン１４の下方にはスライダ１６が設けられ、このスライダ１６の下部には上金型１８が取付けられている。」
(2) 明細書第７頁第４行−第１３頁第１７行
「次に、このトランスファプレスのワーク搬送装置を説明する。
　各下金型２６の左右両側の直上方の位置には、ワーク２０の送り方向に延びるリフトバー（リフト部材）２８が配設されている。各リフトバー２８の上面には、上下方向に延びる複数本の吊下げ部材２９の下端が固定されており、これらの吊下げ部材２９を介して各リフトバー２８が後述のリフトバー支持機構（リフト部材支持機構）３０により吊下げ状態で支持されている。
　第３図および第４図に示されるように、各リフトバー２８の下面には、このリフトバー２８に沿って延びるフィードバー（送り部材）３２が、上記リフトバー２８に対してワーク２０の送り方向にスライド可能に取付けられている。詳しくは、上記リフトバー２８の下面に、ワーク２０の送り方向に延びるガイドレール３４が設けられるとともに、フィードバー３２の上面に、上向きに開口するアリ溝状のスライド部材３６が設けられ、このスライド部材３６が上記ガイドレール３４に嵌合されており、このスライド部材３６がフィードバー３２と一体にガイドレール３４に沿ってスライド可能となっている。
　両フィードバー３２の間には、トランスファプレスの左右方向に延びる複数本（図では５本）のクロスバー（送り部材を構成）３８が設けられている。これらのクロスバー３８は、上記下金型２６と同じピッチで設けられ、その両端が各フィードバー３２の内側面に固定されている。各クロスバー３８には、ワーク２０が吸脱着可能な吸盤（ワーク保持部）３９が配設されている。
　次に、上記リフトバー支持機構３０を第３図および第４図を併せて参照しながら説明する。なお、第３図はリフトバー支持機構３０をトランスファプレスの内側から見た状態を示したものである。
　各アプライト１２の間には、ワーク２０の送り方向に支持ばり４０が設けられ、各支持ばり４０の内側面に上記吊下げ部材２９と同数の支持ハウジング４２が固定されている。そして、各支持ハウジング４２を上記吊下げ部材２９が上下方向に貫通した状態で、この吊下げ部材２９が軸受４３を介して昇降可能に支持ハウジング４２に支持されている。また、各吊下げ部材２９の所定領域にはラック部２９１が設けられている。
　一方、トランスファプレスの左右両側にはワーク２０の送り方向に延びる水平ラック４４が配され、両水平ラック４４は各支持ハウジング４２を水平方向に貫通している。
　これに対し、各支持ハウジング４２内には、水平でかつトランスファプレスの幅方向に延びる伝動軸４６が設けられ、この伝動軸４６の両端は、支持ハウジング４０内に設けられた軸受４７，４８によって回転可能に支持されている。この伝動軸４６には２つのピニオンギヤ５０，５２が固定されており、一方のピニオンギヤ５０が上記ラック部２９１に、他方のピニオンギヤ５２が上記水平ラック４４に噛合されている。
　従って、上記水平ラック４４が水平方向に駆動されることにより、その駆動力がピニオンギヤ５２、伝動軸４６、およびピニオンギヤ５０を順次介してラック部２９１に伝達され、これによって吊下げ部材２９、リフトバー２８、フィードバー３２等が一体に昇降する。
　次に、上記水平ラック４４およびフィードバー３２の駆動装置（送り駆動手段および昇降駆動手段を構成）６０を第５図に基づいて説明する。
　この駆動装置６０は、ハウジング６２を備え、このハウジング６２は上記ベッド１０よりもワーク搬送方向上流側の位置に設置されている。
　このハウジング６２内には、２つの揺動アーム６４，６５が略水平方向および略鉛直方向に各々配されている。両揺動アーム６４，６５は、各々回動軸６７，６８を中心に揺動可能にハウジング６２に取付けられており、それぞれの中間部位にはカムフォロア７０，７１が設けられている。
　揺動アーム６４の回動端部には、リンク部材７３を介して、上下方向に延びる鉛直ラック７４の下端部が連結されており、この鉛直ラック７４は、アプライト１２に固定された保持部材７６によって上下方向にスライド可能に取付けられている。
　同じアプライト１２には支持板７８が固定され、この支持板７８には、上記支持ハウジング４２と同様に、２枚のピニオンギヤ５０，５２が固定された伝動軸が回転可能に取付けられている。そして、上記ピニオンギヤ５０に鉛直ラック７４が噛合され、ピニオンギヤ５２に水平ラック４４が噛合されており、上記揺動アーム６４の揺動が鉛直ラック７４の上下動に変換され、さらに、この鉛直ラック７４の上下動が上記伝動軸を介して水平ラック４４の水平動に変換されるようになっている。
　これに対し、揺動アーム６５の揺動端部（上端部）には、略水平方向に延びる伝動バー８０の一端部が連結されており、この伝動バー８０の他端部が上記フィードバー３２の端部に連結されている。そして、上記揺動アーム６５の揺動が伝動バー８０を介してフィードバー３２の水平動に変換されるようになっている。
　一方、上記ハウジング６２内には、駆動モータ８２により回転駆動される水平方向の回転軸８４が配設され、この回転軸８４には、上記揺動アーム６４のカムフォロア７０に接触する昇降駆動カム８６と、上記揺動アーム６５のカムフォロア７１に接触する送り駆動カム８７とが固定されている。
　また、各揺動アーム６４，６５には付勢シリンダ８８，８９が連結され、これにより、各カムフォロア７０，７１が各カム８６，８７に常時接触する方向に揺動アーム６４，６５が付勢されている。
　上記昇降駆動カム８６および送り駆動カム８７の形状は、その回転により、クロスバー３８および吸盤３９が第１図の一点鎖線９０に示されるような軌跡を描いて移動するように設定されている。
　次に、その具体的な動作を説明する。
　まず、昇降駆動カム８６の回転に伴う動作を説明すると、上記回転に従って揺動アーム６４が回動軸６７を中心に揺動し、この揺動がリンク部材７３を介して鉛直ラック７４の上下動に変換され、この上下動が、ピニオンギヤ５０，５２が固定された伝動軸によって水平ラック４４の水平動に変換される。さらに、この水平ラック４４の水平動は、各支持ハウジング４２に設けられた伝動軸４６およびピニオンギヤ５０，５２を介して各吊下げ部材２９の上下動に変換され、これによって、各吊下げ部材２９、左右のリフトバー２８、フィードバー３２、およびクロスバー３８が一体に昇降する。
　一方、送り駆動カム８７の回転については、上記回転に従って揺動アーム６５が回動軸６８を中心に揺動し、この揺動が伝動バー８０を介してフィードバー３２に伝達され、これによって、フィードバー３２はリフトバー２８に対して水平方向にスライド移動する。」
(3) 明細書第１６頁第５−９行
「本考案では、送り駆動手段および昇降駆動手段の具体的な構造を問わず、上記駆動装置６０のように単一の駆動源（駆動モータ８２）で双方の駆動を行うものの他、送り駆動および昇降駆動を個別に行うものでもよい。」
　上記記載事項より、引用例１には、次の「トランスファプレスのワーク搬送装置」が記載されていると認める。
　トランスファプレス内に一対のリフトバー２８をワーク送り方向に並設し、
　前記トランスファプレスの上部に複数のリフトバー支持機構３０を取付け、この各リフトバー支持機構３０で前記一対のリフトバー２８の複数箇所を上方より吊り下げ、かつ昇降駆動用の一つの駆動源により前記一対のリフトバー２８を上下方向へ駆動し、
　前記一対のリフトバー２８に、クロスバー３８が横架されたフィードバー３２をワーク送り方向に移動自在に設け、かつこのフィードバー３２を、送り駆動用の駆動源より取出された動力により回転される送り駆動カム８７を駆動源とする揺動アーム６５、伝動バー８０等からなる送り機構により送り方向へ駆動してなるトランスファプレスのワーク搬送装置。（以下「引用例１記載の発明」という。）
２　同じく引用した本件出願前に日本国内において頒布された刊行物である実願平１−１１０８３２号（実開平３−５１９３２号）のマイクロフィルム（以下「引用例２」という。）には、次の事項が記載されていると認める。
(1) 明細書第２頁第４−６行
「この考案はトランスファバーのリフトストロークを変換するトランスファフィーダのリフトストローク変換装置に関する。」
(2) 明細書第５頁第７行−第７頁第３行
「上記各リフトビーム７１，７２の上面にはトランスファバー９により互に連結された複数のキャリヤ１０が設けられている。
　これらキャリヤ１０はリフトビーム７上に布設されたガイドレール１１上を転動するローラ１２を下部に有していて、ガイドレール１１に沿ってフィート方向Ａへ移動自在となっていると共に、各キャリヤ１０上にはチルト機構１３が設置されていて、互に対向するチルト機構１３間にクロスバー１４が横架され、これらクロスバー１４にワーク６を保持するバキュームカップのようなワーク保持手段１５が取付けられている。
　また図中１８はフィード方向Ａの下流側に設置されたカムボックスで、図示しない動力取出し装置によりプレス本体１より取出された動力により回転されるフィードカム１９及びリフトカム２０が収容されている。
　これらフィードカム１９及びリフトカム２０には下端側が軸支されたフィードレバー２１及びリフトレバー２２が周接されていて、各カム１９，２０の回転に伴い各レバー２１，２２の上端側がフィード方向Ａへ揺動されるようになっている。
　そしてフィードレバー２１の上端はリンク２３を介してフィードキャリヤ２４に接続されていて、フィードレバー２１の揺動に伴いフィードキャリヤ２４をフィード方向Ａへ往復動すると共に、フィードキャリヤ２４と上記トランスファバー９間が連結杆２５により、また上流側リフトビーム７１ に設けられたキャリヤ１０と、下流側リフトビーム７２ のもっとも上流側に設けられたキャリヤ１０の間は別の連結杆２６により連結されていて、フィードキャリヤ２４の往復動に伴い各リフトビーム７１，７２上をキャリヤ１０がフィード方向へ往復動されるようになっている。」
　上記記載事項より、引用例２には、トランスファフィーダにおいて、フィードカム１９を回転する動力をプレス本体１より取出すという技術的事項が記載されていると認める。
　
第３　対比
　本件発明と引用例１記載の発明とを対比すると、引用例１記載の発明の「トランスファプレス」は、本件発明の「プレス本体」に相当しており、同様に、「リフトバー」は「リフトビーム」に、「送り方向」は「搬送方向」に、「リフトバー支持機構」は「リフト機構」に、「送り駆動カム」は「フィードカム」に、「送り機構」は「フィード機構」に、及び、「トランスファプレスのワーク搬送装置」は「トランスファフィーダ」にそれぞれ相当していることが明らかである。
　また、引用例１記載の発明の「昇降駆動用の一つの駆動源」は、複数のリフト機構の昇降駆動用の駆動源であることに限り、本件発明の「各リフト機構毎に駆動源としてそれぞれ設けたサーボモータ」と共通し、引用例１記載の発明の「フィードバー」は、クロスバー搬送手段であることに限り、本件発明の「複数のクロスバーキャリア」と共通している。
　以上のとおりであるので、本件発明と引用例１記載の発明とは、次の一致点及び相違点を有している。
１　一致点
　プレス本体内に一対のリフトビームをワーク搬送方向に並設し、
　前記プレス本体の上部に複数のリフト機構を取付け、この各リフト機構で前記一対のリフトビームの複数箇所を上方より吊り下げ、複数のリフト機構の昇降駆動用の駆動源により前記一対のリフトビームを上下方向へ駆動し、
　前記一対のリフトビームに、クロスバーが横架されたクロスバー搬送手段をワーク搬送方向に移動自在に設け、かつこのクロスバー搬送手段を、動力により回転されるフィードカムを駆動源とするフィード機構によりフィード方向へ駆動してなるトランスファフィーダ。
２　相違点
(1) 複数のリフト用の昇降駆動用の駆動源が、本件発明では、各リフト機構毎に駆動源としてそれぞれ設けられたサーボモータであるのに対し、引用例１記載の発明では、そのようなものではなく、昇降駆動用の一つの駆動源である点（以下「相違点１」という。）。
(2) フィードカムを回転する動力が、本件発明では、プレス本体より取出されたものであるのに対し、引用例１記載の発明では、そのようなものではなく、送り駆動用の駆動源より取出されたものである点（以下「相違点２」という。）。
(3) クロスバー搬送手段が、本件発明では、複数のクロスバーキャリアであるのに対し、引用例１記載の発明では、そのようなものではなく、フィードバーである点（以下「相違点３」という。）。
　
第４　当審の判断
１　相違点１について
　引用例１記載の発明においては、複数のリフト機構を一つの駆動源で駆動しているが、複数のリフト機構をどのような駆動源で駆動するかは、適宜必要に応じて選定する設計的事項であって、各リフト機構毎に駆動源をそれぞれ設けることに格別の困難性は見当たらず、そして、その駆動源としてサーボモータを採用することにも格別の困難性は見当たらない。
２　相違点２について
　引用例２には、上記第２の２のとおり、引用例１記載の発明と同一の技術分野であるトランスファフィーダにおいて、フィードカムを回転する動力をプレス本体より取出すという技術的事項が記載されているので、引用例１記載の発明において、そのフィードカムを回転する動力の取出しについて、上記引用例２に記載の技術的事項を採用し、その動力をプレス本体より取出すように変更することに格別の困難性は見当たらない。
３　相違点３について
　引用例１記載の発明のクロスバーの横架されたフィードバーは、リフトビームに沿って延びるているものであり、リフトビームに沿って複数個設けられているものではないが、クロスバーの横架された部材をワーク搬送方向に沿って複数個設けることは、例えば、引用例２、実願平２−５４４００号（実開平４−１７３３１号）のマイクロフィルム及び特開平４−２２０１２４号公報等に記載されているように本件出願前周知であるので、引用例１記載の発明において、クロスバーの横架されたフィードバーを複数個に分割して、本件発明のクロスバーの横架された複数のクロスバーキャリアとすることに格別の困難性は見当たらない。
４　本件発明の効果について
　本件発明の効果は、引用例１記載の発明、引用例２に記載の技術的事項及び上記周知な事項から予測しうる程度のものであって、格別のものではない。
　
第５　むすび
　したがって、本件発明は、本件出願前に日本国内において頒布された引用例１に記載の発明、引用例２に記載の技術事項及び上記周知な事項基づいて当業者が容易に発明をすることができたものであるから、特許法第２９条第２項の規定により特許を受けることができない。
　よって、結論のとおり審決する。